(57)【要約】【課題】ギャッチアップ座位時の上体の角度を変数として考慮し、前記腹部インピーダンスに基づいて体組成に関する指標を算出する体脂肪測定装置を提供する。【解決手段】少なくとも１対の電流印加電極及び電圧測定電極を用いて腹部のインピーダンスを測定する腹部インピーダンス測定手段と、ギャッチアップ座位時の上体の角度を入力する角度入力手段と、少なくとも前記腹部インピーダンスと前記上体の角度とに基づいて体組成に関する指標を演算する演算手段とを備えたことにより、仰向け姿勢時と同様に体組成に関する指標を算出可能であり、例えば、リクライニングベッドや椅子などによるギャッチアップ座位姿勢で、個人が測定しやすいような上体の角度をもった姿勢での測定が可能であり、身障者、健常者問わず、簡便に且つ精度の高い測定が可能である。【選択図】        図１
2006081601.tif 000002
【特許請求の範囲】
【請求項１】
少なくとも１対の電流印加電極及び電圧測定電極を用いて腹部のインピーダンスを測定する腹部インピーダンス測定手段と、
ギャッチアップ座位時の上体の角度を入力する角度入力手段と、
少なくとも前記腹部インピーダンスと前記上体の角度とに基づいて体組成に関する指標を演算する演算手段とを備えたことを特徴とする体組成測定装置。
【請求項２】
前記腹部インピーダンス測定手段は、前記電流印加電極及び電圧測定電極間の距離を腹部の大きさに則した所定範囲に接触させるように可変する電極支持手段を備えて成ることを特徴とする請求項１記載の体組成測定装置。
【請求項３】
前記腹部インピーダンス測定手段は、前記電流印加電極及び電圧測定電極間の距離を固定して支持する電極支持手段を備え、腹部の横幅距離を入力する横幅距離入力手段とを更に有し、前記演算手段は、前記腹部インピーダンス、前記上体の角度及び前記横幅距離とに基づいて体組成に関する指標を演算することを特徴とする請求項１記載の体組成測定装置。
【請求項４】
前記角度入力手段は、ギャッチアップ座位時の上体の角度を計測して入力する角度センサを更に備えて成ることを特徴とする請求項１乃至３の内いずれか１項に記載の体組成測定装置。
【請求項５】
前記角度センサは、被験者の上半身の所定の部位に貼付することを特徴とする請求項４記載の体脂肪測定装置。
【請求項６】
前記角度センサは、被験者の首から吊り下げて上半身所定の部位に位置させることを特徴とする請求項４記載の体脂肪測定装置。
【請求項７】
前記腹部インピーダンス測定手段は、前記電流印加電極に印加する交流電流の周波数を切り替え、高周波数領域及び低周波数領域から少なくとも各１周波数を含む複数の周波数によりインピーダンス測定を行なう周波数切り替え手段を更に有することを特徴とする請求項１乃至６の内いずれか一項に記載の体脂肪測定装置。
【請求項８】
前記体組成に関する指標は、皮下脂肪厚、皮下脂肪面積、腹筋厚、内臓脂肪面積、腹部全脂肪面積、体幹部脂肪率、全身脂肪率及び皮下脂肪と内臓脂肪との割合の内、少なくとも一つであることを特徴とする請求項１乃至７の内いずれか１項に記載の体脂肪測定装置。
【発明の詳細な説明】
【技術分野】
【０００１】
本発明は腹部のインピーダンスを測定し、体脂肪に関する指標を算出する体組成測定装置に関する。
【背景技術】
【０００２】
従来の腹部のインピーダンス測定を用いた体組成測定装置おいては、腹部周囲表面におけるインピーダンス測定に基づいて、予め設定してある腹部インピーダンスに基づく体脂肪に関する指標を算出するための回帰式により、前記体組成に関する指標を算出する技術が数多く開示されている（例えば、特許文献１参照）。
【特許文献１】特開２００４−１３５６９９８号公報
【発明の開示】
【発明が解決しようとする課題】
【０００３】
しかしながら、前記従来の体組成測定装置においては、一定姿勢でのインピーダンス測定を前提としているものであり、被験者の姿勢変化に伴う腹部インピーダンス変化の影響まで言及しているものはなかった。例えば、寝たきりの方であっても仰向けに寝ることが困難な場合に、リクライニング機能付きベッドにより仰向けの姿勢から上体を起こした姿勢、すなわち、腹部を含め身体的にはほとんど力を加えることなく上体を起こした座位（以下、ギャッチアップ座位という）の姿勢で生活する場合があり得る。この場合、ギャッチアップ座位の上体の角度には個人差があり、上体を起こすほど身体がくの字型に曲げられるため、腹部は圧迫され形状が変化する。これに伴い腹部のインピーダンス値が変化することになるが、前記従来の体組成測定装置で用いられている回帰式では誤差となってしまうことが明らかである。
【０００４】
また、健常者であっても、腹部インピーダンス測定時には仰向けまたは直立の状態で測定しなければ成らず、リクライニング椅子などに座った状態で測定することができなかった。また仰向けに寝た状態では、腹部に表示部を設けた装置だった場合、表示が見づらい場合があった。
【０００５】
従って本発明は上述の問題点を解決し、ギャッチアップ座位時の上体の角度を変数として考慮し、前記腹部インピーダンスに基づいて体組成に関する指標を算出する体脂肪測定装置を提供する。
【課題を解決するための手段】
【０００６】
上記課題を解決するために本発明は、少なくとも１対の電流印加電極及び電圧測定電極を用いて腹部のインピーダンスを測定する腹部インピーダンス測定手段と、ギャッチアップ座位時の上体の角度を入力する角度入力手段と、少なくとも前記腹部インピーダンスと前記上体の角度とに基づいて体組成に関する指標を演算する演算手段とを備えた体組成測定装置を提供する。
【０００７】
また、前記腹部インピーダンス測定手段は、前記電流印加電極及び電圧測定電極間の距離を腹部の大きさに則した所定範囲に接触させるように可変する電極支持手段を備えて成る。
【０００８】
また、前記腹部インピーダンス測定手段は、前記電流印加電極及び電圧測定電極間の距離を固定して支持する電極支持手段を備え、腹部の横幅距離を入力する横幅距離入力手段とを更に有し、前記演算手段は、前記腹部インピーダンス、前記上体の角度及び前記横幅距離とに基づいて体組成に関する指標を演算するものである。
【０００９】
また、前記角度入力手段は、ギャッチアップ座位時の上体の角度を計測して入力する角度センサを更に備えて成る。
【００１０】
また、前記角度センサは、被験者の上半身の所定の部位に貼付するものである。
【００１１】
また、前記角度センサは、被験者の首から吊り下げて上半身所定の部位に位置させるものである。
【００１２】
また、前記腹部インピーダンス測定手段は、前記電流印加電極に印加する交流電流の周波数を切り替え、高周波数領域及び低周波数領域から少なくとも各１周波数を含む複数の周波数によりインピーダンス測定を行なう周波数切り替え手段を更に有する。
【００１３】
更に、前記体組成に関する指標は、皮下脂肪厚、皮下脂肪面積、腹筋厚、内臓脂肪面積、腹部全脂肪面積、体幹部脂肪率、全身脂肪率及び皮下脂肪と内臓脂肪との割合の内、少なくとも一つである。
【発明の効果】
【００１４】
本発明の体組成測定装置は、少なくとも１対の電流印加電極及び電圧測定電極を用いて腹部のインピーダンスを測定する腹部インピーダンス測定手段と、ギャッチアップ座位時の上体の角度を入力する角度入力手段と、少なくとも前記腹部インピーダンスと前記上体の角度とに基づいて体組成に関する指標を演算する演算手段とを備えたことにより、仰向け姿勢時と同様に体組成に関する指標を算出可能であり、例えば、リクライニングベッドや椅子などによるギャッチアップ座位姿勢で、個人が測定しやすいような上体の角度をもった姿勢での測定が可能であり、身障者、健常者問わず、簡便に且つ精度の高い測定が可能である。
【００１５】
また、前記腹部インピーダンス測定手段は、前記電流印加電極及び電圧測定電極間の距離を腹部の大きさに則した所定範囲に接触させるように可変する電極支持手段を備えて成るものや、前記電流印加電極及び電圧測定電極間の距離を固定して支持する電極支持手段を備え、腹部の横幅距離を入力する横幅距離入力手段とを更に有し、前記演算手段は、前記腹部インピーダンス、前記上体の角度及び前記横幅距離とに基づいて体組成に関する指標を演算するものであることから、前記電極の接触位置の位置決めが不要であり、簡便な測定が可能である。
【００１６】
また、前記角度入力手段は、ギャッチアップ座位時の上体の角度を計測して入力する角度センサを更に備えて成ることから、入力の手間が無く、より簡便に精度の高い測定が可能である。
【００１７】
また、前記角度センサは、被験者の上半身の所定の部位に貼付するものであったり、被験者の首から吊り下げて上半身所定の部位に位置させるものであることから、簡便に角度の計測が可能である。また、例えば、前記所定の部位を胸骨と鎖骨とを繋ぐ胸骨柄と呼ばれる骨付近の胸部皮膚表面とした場合、この部位は胸部形状による個人差が少ない部位であり、個人間の誤差を少なくすることも可能である。
【００１８】
また、前記腹部インピーダンス測定手段は、前記電流印加電極に印加する交流電流の周波数を切り替え、高周波数領域及び低周波数領域から少なくとも各１周波数を含む複数の周波数によりインピーダンス測定を行なう周波数切り替え手段を更に有することから、各周波数により脂肪組織や筋肉組織等一部の生体組織に寄与したインピーダンスを得ることが可能であり、複数周波数により測定することで、より精度の高い前記体脂肪に関する指標を得ることができる。
【００１９】
更に、前記体組成に関する指標は、皮下脂肪厚、皮下脂肪面積、腹筋厚、内臓脂肪面積、腹部全脂肪面積、体幹部脂肪率、全身脂肪率及び皮下脂肪と内臓脂肪との割合の内、少なくとも一つであることから、ＣＴ法やＤＸＡ法等を用いた高価な装置によって測定していた前記体脂肪に関する指標を安価な装置により簡便に測定可能である。
【発明を実施するための最良の形態】
【００２０】
本発明の体組成測定装置は、少なくとも１対の電流印加電極及び電圧測定電極を用いて腹部のインピーダンスを測定する腹部インピーダンス測定手段と、ギャッチアップ座位時の上体の角度を入力する角度入力手段と、少なくとも前記腹部インピーダンスと前記上体の角度とに基づいて体組成に関する指標を演算する演算手段とを備えて構成する。
【００２１】
また、前記腹部インピーダンス測定手段は、前記電流印加電極及び電圧測定電極間の距離を腹部の大きさに則した所定範囲に接触させるように可変する電極支持手段を備えて成る。
【００２２】
また、前記腹部インピーダンス測定手段は、前記電流印加電極及び電圧測定電極間の距離を固定して支持する電極支持手段を備え、腹部の横幅距離を入力する横幅距離入力手段とを更に有し、前記演算手段は、前記腹部インピーダンス、前記上体の角度及び前記横幅距離とに基づいて体組成に関する指標を演算するものである。
【００２３】
また、前記角度入力手段は、ギャッチアップ座位時の上体の角度を計測して入力する角度センサを更に備えて成る。
【００２４】
また、前記角度センサは、被験者の上半身の所定の部位に貼付するものである。
【００２５】
また、前記角度センサは、被験者の首から吊り下げて上半身所定の部位に位置させるものである。
【００２６】
また、前記腹部インピーダンス測定手段は、前記電流印加電極に印加する交流電流の周波数を切り替え、高周波数領域及び低周波数領域から少なくとも各１周波数を含む複数の周波数によりインピーダンス測定を行なう周波数切り替え手段を更に有する。
【００２７】
更に、前記体組成に関する指標は、皮下脂肪厚、皮下脂肪面積、腹筋厚、内臓脂肪面積、腹部全脂肪面積、体幹部脂肪率、全身脂肪率及び皮下脂肪と内臓脂肪との割合の内、少なくとも一つである。
【実施例１】
【００２８】
本発明の体組成測定装置の実施例を図面用いて説明する。図１は体組成測定装置の外観図であり、図２は図１の腹部接触面側の側面図であり、図３は使用時の状態を示す図であり、図４は電気ブロック図である。
【００２９】
本実施例において例示する体組成測定装置１は大別すると、インピーダンス測定のための電流印加電極２ａ及び２ｂと電圧測定電極３ａ及び３ｂを腹部前面に接触させて測定する腹部インピーダンス測定部４と、前記腹部インピーダンス測定部４とは別体で設けられた角度センサ５とがコード６によって電気的に接続されて成る。前記インピーダンス測定部４は、前記電流印加電極２ａ及び前記電圧測定電極３ａを備えた半Ｕ字型アーム部７ａと、同様に前記電流印加電極２ｂ及び前記電圧測定電極３ｂを備えた半Ｕ字型アーム部７ｂとにより、図１に示すように、電圧測定電極３ａ及び３ｂを電流印加電極２ａ及び２ｂに挟まれる位置に配して成り、前記半Ｕ字型アーム部７ａ及び７ｂ間は、図２の双方向矢印にて示すように、腹部横幅を挟み込むように、腹部の大きさに合わせて摺動可能な機構を有して構成され、各々把持部８ａ及び８ｂを備えて成る。
【００３０】
また、前記腹部インピーダンス測定部４は、図４の電気ブロック図にて後述する電気回路を構成する回路基板を内部に配した操作ボックス９を備え、操作ボックス９は測定結果や各種ガイダンスなどを表示する表示部１０及び各種設定の入力操作などを行なう操作部１１とを備えて成る。
【００３１】
これにより、図３のギャッチアップ座位姿勢における使用状態を示す略図のように、前記腹部インピーダンス測定部４を腹部前面に押し当てることにより、電流印加電極２ａ及び２ｂと電圧測定電極３ａ及び３ｂとを腹部表面に密接させて保持することが可能であり、また腹部横幅に合わせた前記半Ｕ字型アーム部７ａ及び７ｂの摺動に伴い、前記電流印加電極２ａ及び２ｂ間と電圧測定電極３ａ及び３ｂ間の距離も腹部の大きさに合わせて可変するため、ウエストや腹部横幅距離などによる腹部の大きさに対する電極接触位置の補正が不要である。
【００３２】
また、前記角度センサ５は、例えば胸部に貼り付けるものであり、図３において角度Θで示した、水平方向を基準とした上体の角度を検出可能な公知の角度センサである。
【００３３】
続いて、図４の電気ブロック図を用いて電気回路構成を説明する。前記電流印加電極２ａ及び２ｂがインピーダンス測定のための所定の電流を印加する電流印加部２１に接続され、前記電圧測定電極３ａ及び３ｂがインピーダンス測定電圧を測定する電圧測定部２２に接続され、インピーダンス検出部２３を成し、更に前記電流印加部２１及び電圧測定部２２は各々制御部２４に接続されて成る。また、前記制御部２４は、前記角度センサ５、表示部１０及び操作部１１に接続し、更に各種演算式や測定及び設定データ等を記憶しておく記憶部２５、前記各種体組成に関する指標の演算などを行なう演算部２６及び体組成測定装置１に電力を供給する電源２７を接続して構成している。
【００３４】
また図示しないが、前記電流印加部２１の内部には、電流印加電極２ａ及び２ｂ間に印加する電流の周波数を切り替える周波数切替部を備え、複数の所定の周波数によりインピーダンス測定を可能とするものである。
【００３５】
ここで、体組成は周波数に依存して電流経路が変化する特性を有していることから、前記複数の所定の周波数によるインピーダンス測定を行なうことにより、単一の周波数によるインピーダンス測定に比べて体組成に関する指標を精度良く算出可能となる。この測定原理を図５乃至図７を用いて説明する。図５は腹部前面の電流経路を示す電気的等価回路であり、図６は図５の等価回路に低周波電流を印加した場合の電流経路を示す図であり、図７は図５の等価回路に高周波電流を印加した場合の電流経路を示す図である。まず図５によると、腹部皮膚表面に接触した電流印加電極２ａ及び２ｂ間に電流が印加され、電圧測定電極３ａ及び３ｂ間において電圧が測定される場合において、各電極が皮膚表面に接触した際の接触インピーダンスＲｃ１、Ｒｃ２、Ｒｃ３及びＲｃ４が発生する。また各電極間は、皮膚表面に相当する抵抗Ｒｓ１、Ｒｓ２及びＲｓ３なる抵抗群があり、更に内部の皮下脂肪層においては、皮下脂肪組織の特性を踏まえ、各電極各々に、Ｃ１とＲｆ１、Ｃ２とＲｆ２、Ｃ３とＲｆ３及びＣ４とＲｆ４からなるコンデンサ成分と抵抗成分との並列回路が並ぶ。更に前記皮下脂肪層を超えた内部には、細胞膜に相当するコンデンサ成分Ｃｍ、細胞内液に相当する抵抗Ｒｉ及び細胞外液に相当する抵抗Ｒｅとを備えた公知の電解質組織からなる腹筋層を成し、腹部前面の等価回路を構成している。
【００３６】
なお、本実施例においては、前記低周波電流は、周波数が４kHz以上１２.５kHz以下の範囲のうちのいずれかの周波数であるとして、５kHzの周波数の電流を用いるものとし、高周波電流は５０kHz以上５１２kHz以下の範囲のうちのいずれかの周波数であるとして、５０kHzの周波数の電流を用いるものとした。
【００３７】
前記低周波電流を印加した場合、電流経路は図６に示すように皮下脂肪層において、コンデンサ成分Ｃ１、Ｃ２、Ｃ３及びＣ４に電流が流れず、抵抗成分Ｒｆ１、Ｒｆ２、Ｒｆ３及びＲｆ４に流れ、前記腹筋層においても、前記コンデンサ成分Ｃｍに電流が流れず、前記細胞外液抵抗Ｒｅにのみ電流が流れる。これにより、皮下脂肪組織を反映したインピーダンスＺｌｏｗが得られる。
【００３８】
また、前記高周波電流を印加し場合、電流経路は図７に示すように皮下脂肪層において、コンデンサ成分Ｃ１、Ｃ２、Ｃ３及びＣ４に電流が流れることから、抵抗成分Ｒｆ１、Ｒｆ２、Ｒｆ３及びＲｆ４には流れない。また前記腹筋層においては、コンデンサ成分Ｃｍに電流が流れることから、細胞内液抵抗Ｒｉ及び細胞外液抵抗Ｒｅを含む腹筋層全体に電流が流れる。これにより、皮下脂肪組織を反映せず、腹筋層のみを反映したインピーダンスＺｈｉｇｈが得られることになる。
【００３９】
よって、前記Ｚｌｏｗ及びＺｈｉｇｈに基づき、体組成に関する指標を精度良く求めることが可能となる。
【００４０】
また、姿勢変化による腹部形状の変化に伴い、前記皮下脂肪層と腹筋層の抵抗成分が変化していくため、測定姿勢において腹部の形状に影響を与える上体の角度変化を前記角度センサ５を用いて検出し、角度補正を加えた体組成に関する指標を演算する回帰式を用いて被験者の体組成を精度良く測定するものである。
【００４１】
ここで、前記前記記憶部２５は前記回帰式を予め記憶しておくものであり、体組成に関する指標（本実施例においては、皮下脂肪厚、腹筋厚、皮下脂肪面積、内臓脂肪面積、腹部全脂肪面積、体幹部脂肪率及び全身脂肪率であるとする）に対して、各々次に示す各種の回帰式（（１）〜（７）式）を記憶する。
【００４２】
皮下脂肪厚＝１１．１×Ｚｌｏｗ−０．３１×Ｚｈｉｇｈ＋０．０２Θ・・・（１）
【００４３】
皮下脂肪面積＝２３．１×Ｚｌｏｗ−１９．３×Ｚｈｉｇｈ＋０．０１Θ・・・（２）
【００４４】
腹筋厚＝−０．０２９×Ｚｌｏｗ＋０．１×Ｚｈｉｇｈ＋０．０１Θ・・・（３）
【００４５】
内臓脂肪面積＝−４．１×Ｚｌｏｗ＋２８．１×Ｚｈｉｇｈ＋５．３６Θ・・・（４）
【００４６】
腹部全脂肪面積＝２８．６×Ｚｌｏｗ−１４．３×Ｚｈｉｇｈ＋０．０２Θ・・・（５）
【００４７】
体幹部脂肪率＝７０．１−０．４９×Ｚｌｏｗ−６０１１×（１／Ｚｈｉｇｈ）＋０．０３Θ・・・（６）
【００４８】
全身脂肪率＝０．８５×（７０．１−０．４９×Ｚｌｏｗ−６０１１×（１／Ｚｈｉｇｈ）＋０．０３Θ）＋１．１
【００４９】
なお、上記の体組成演算式（（１）から（５）式）により求められる皮下脂肪厚、皮下脂肪面積、腹筋厚、内臓脂肪面積及び腹部全脂肪面積は、図８から図１２に示すように、一般的に推定精度が良いとされるＣＴ（Ｃｏｍｐｕｔｅｄ  Ｔｏｍｏｇｒａｐｈｙ）スキャン法により求めた皮下脂肪厚、皮下脂肪面積、腹筋厚、内臓脂肪面積及び腹部全脂肪面積との相関性が高く、又、上記の体組成演算式（（６）及び（７）式）により求められる体幹部脂肪率及び全身脂肪率は、図１３及び図１４に示すように、一般的に推定精度が良いとされるＤＸＡ（Ｄｕａｌ  Ｘ−ｒａｙ  ａｂｓｏｒｐｔｉｏｍｅｔｒｙ）法により求めた体幹部脂肪率及び全身脂肪率との相関性が高い。ただし、上記各体組成演算式（（１）から（７）式）は、発明者らの実測及び回帰分析結果から得られた一例を示したものであり、数値及び数式の構成は必ずしもこれに限ったものではない。
【００５０】
本発明の体組成測定装置１の一連の動作を、図１５のフローチャートを用いて説明する。
【００５１】
まず、操作部８に配した電源スイッチにより電源オンすると、ステップＳ１において、体組成測定装置１の初期設定がなされると共に、表示部７に身体への装着を促すメッセージを表示する。すなわち、腹部インピーダンス測定部を腹部所定の位置にあてがい、角度センサ１０を胸部に貼り付けるようメッセージを表示する。続くステップＳ２においては、前記装着がなされ、操作部８に配した測定開始スイッチが押されたかどうか判断される。前記測定開始スイッチが押されていなければＮＯに進み前記メッセージの表示を繰り返す。
【００５２】
スイッチが押されるとＹＥＳに進み、ステップＳ３において、まず低周電流を用いた腹部インピーダンス測定が行なわれる。すなわち、制御部２４により電流印加部２１内の周波数切替部を制御し、予め設定されてある低周波電流を電流印加電極２ａ及び２ｂ間に印加し、電圧測定電極３ａ及び３ｂを用いて電圧測定部２２により電圧を測定し、演算部２６においてインピーダンスが演算され、Ｚｌｏｗを得て、記憶部２５に記憶される。続いてステップＳ４において、前記Ｓ３と同様にして、高周波電流を用いた腹部インピーダンス測定が行なわれ、Ｚｈｉｇｈを得て、記憶部２５に記憶される。
【００５３】
インピーダンス測定の終了と共にステップＳ５において、前記角度センサ１０を用いて、水平方向を０度とした場合の上体の角度Θが検出され、コード６を介して前記操作ボックス９内の回路基板に送られ、制御部２４を介して記憶部２５に記憶される。
【００５４】
ステップＳ６からステップＳ１２は、測定した前記Ｚｌｏｗ、Ｚｈｉｇｈ及び角度Θを用いて、前述の回帰式（（１）〜（７）式）に基づき各種体組成に関する指標を演算するステップである。
【００５５】
すなわち、ステップＳ６において、制御部２４により記憶部２５から皮下脂肪厚演算用回帰式（（１）式）を読み込み、演算部２６において、測定した前記Ｚｌｏｗ、Ｚｈｉｇｈ及び角度Θを代入して皮下脂肪厚を求め、記憶部２５に記憶する。
【００５６】
以降ステップＳ７からステップＳ１２まで前記ステップＳ６と同様にして、ステップＳ７において皮下脂肪面積を求め、ステップＳ８において腹筋厚を求め、ステップＳ９において内臓脂肪面積を求め、ステップＳ１０において腹部脂肪面積を求め、ステップＳ１１において体幹部体脂肪率を求め、ステップＳ１２において全身体脂肪率を求め、前記各ステップ毎に記憶部２５に記憶する。
【００５７】
ステップＳ１３においては、前記算出した皮下脂肪面積と内臓脂肪面積との差分より、脂肪型を判定し記憶部２５に記憶する。例えば、Ｘ＝皮下脂肪面積−内臓脂肪面積として、Ｘ>０の場合皮下脂肪型と判定され、Ｘ≦０の場合内臓脂肪型と判定する。
【００５８】
ステップＳ１４において、表示部７に前述の測定及び演算結果を表示する。すなわち、前記演算により記憶部２５に記憶した、脂肪型、皮下脂肪厚、皮下脂肪面積、腹筋厚、内臓脂肪面積、腹部全脂肪面積、体脂肪率及び体幹部脂肪率などを表示する。
【００５９】
ステップＳ１５において、予め設定された一定時間内に前記操作部８に配された測定スイッチが押されたか否かが判断され、スイッチが押されると、再測定すると見なし再びステップＳ１に戻る。また、一定時間スイッチが押されなかった場合、自動で電源をオフし前述の一連の動作を終了する。
【００６０】
なお、本実施例においては、半Ｕ字型アーム部７ａ及び７ｂは、腹部横幅を挟み込むように腹部の大きさに合わせて摺動可能な機構を有することにより、前記電流印加電極２ａ及び２ｂ間と電圧測定電極３ａ及び３ｂ間の距離も腹部の大きさに合わせて可変とすることにより、ウエストや腹部横幅距離などによる腹部の大きさに対する電極接触位置の補正を不要としたが、前記腹部の大きさを別途入力し、各体組成に関する指標の算出においては前記腹部の大きさの補正項を加えた回帰式を記憶部２５に記憶しておき、前記実施例と同様に用いることにより、図１６及び図１７に示すように、腹部の大きさによらず前記電極間距離を可変させない構成としても良い。また、ここでは図示しないが、腹部の横幅に合わせて可動する前記半Ｕ字型アーム部７ａ及び７ｂの移動距離を公知のエンコーダ等を用い自動計測して入力する構成とし、前記電極２ａ、２ｂ、３ａ及び３ｂを半Ｕ字型アーム部７ａ及び７ｂとは別途、前記電極間距離が可変しないよう固定して構成しても良い。
【００６１】
また、腹部前面に密接させるため、図１６に示すアーム部１０７を柔軟弾性部材で形成しても良いし、図１７に示すように、アーム部５７ａ及び５７ｂがアーム部５７ｃに対して各々回転軸５０ａ及び５０ｂを軸に回動し、アーム部５７ａ及び５７ｂに各々配した電流印加電極５２ａ及び５２ｂを腹部に押し付ける方向（図１７中矢印方向）に力が作用するバネ５１ａ及び５１ｂに抗して押し付けることにより、腹部形状に合わせて適切に電極の接触角度をあわせることも可能である。
【００６２】
本実施例においては、２つの周波数域の電流により得られる２つのインピーダンスＺｌｏｗ及びＺｈｉｇｈに基づいて体組成に関する指標を算出したが、１つの周波数によるインピーダンスのみであっても、予め体組成に関する指標を算出する回帰式を前記１つの周波数に基づいて設定しておくことにより対応可能である。
【００６３】
角度センサ５は、胸部に貼り付けるものとしたが、例えば、ストラップなどで首からぶら下げる構成でも良く、ストラップの長さを調整することにより、胸部の所定の位置に前記角度センサ５が置かれるようにしてもよい。また、前記角度センサ５は上体の角度を検出可能に位置させれば良く、胸部に限定されることはない。また、身体に限らず、測定時被験者の上体を起こしているリクライニングベッドや座椅子などの背当て部分に貼り付けても良い。更に、前記角度センサ５を用いなくとも、例えばリクライニングベッドの背上げ角度を操作部１１から数値入力しても良い。
【図面の簡単な説明】
【００６４】
【図１】本実施例の体組成測定装置の外観図である。
【図２】図１のＡ−Ａ断面図である。
【図３】ギャッチアップ座位姿勢における本実施例の体組成測定装置の使用状態の略図である。
【図４】本実施例の体組成測定装置のブロック図である。
【図５】腹部前面の電流経路を示す電気的等価回路モデルである。
【図６】図５の等価回路の低周波電流を印加したときの電流経路を示す図である。
【図７】図５の等価回路の高周波電流を印加したときの電流経路を示す図である。
【図８】ＣＴスキャン法により求めた皮下脂肪厚と回帰式から求めた皮下脂肪厚との相関関係を示すグラフである。
【図９】ＣＴスキャン法により求めた腹筋厚と回帰式から求めた腹筋厚との相関関係を示すグラフである。
【図１０】ＣＴスキャン法により求めた皮下脂肪面積と回帰式から求めた皮下脂肪面積との相関関係を示すグラフである。
【図１１】ＣＴスキャン法により求めた内臓脂肪面積と回帰式から求めた内臓脂肪面積との相関関係を示すグラフである。
【図１２】ＣＴスキャン法により求めた腹部全脂肪面積と回帰式から求めた腹部全脂肪面積との相関関係を示すグラフである。
【図１３】ＤＸＡ法により求めた体幹部脂肪率と回帰式から求めた体幹部脂肪率との相関関係を示すグラフである。
【図１４】ＤＸＡ法により求めた全身脂肪率と体幹部脂肪率との相関関係を示すグラフである。
【図１５】本実施例の体組成測定装置の動作を示すフローチャートである。
【図１６】本発明の体組成測定装置の別の外観構造を示す図である。
【図１７】本発明の体組成測定装置の別の外観構造を示す図である。
【符号の説明】
【００６５】
１    体組成測定装置
２ａ    電流印加電極
２ｂ    電流印加電極
３ａ    電圧測定電極
３ｂ    電圧測定電極
４    腹部インピーダンス測定部
５    角度センサ
６    コード
７ａ    半Ｕ字型アーム部
７ｂ    半Ｕ字型アーム部
８ａ    把持部
８ｂ    把持部
９    操作ボックス
１０    表示部
１１    操作部
２１    電流印加部
２２    電圧測定部
２３    インピーダンス検出部
２４    制御部
２５    記憶部
２６    演算部
２７    電源
４７    アーム部
５０ａ    バネ
５０ｂ    バネ
５１ａ    回転軸
５１ｂ    回転軸
５７ａ    アーム部
５７ｂ    アーム部
５７ｃ    アーム部
【図１】
2006081601.tif 000003
【図２】
2006081601.tif 000004
【図３】
2006081601.tif 000005
【図４】
2006081601.tif 000006
【図５】
2006081601.tif 000007
【図６】
2006081601.tif 000008
【図７】
2006081601.tif 000009
【図８】
2006081601.tif 000010
【図９】
2006081601.tif 000011
【図１０】
2006081601.tif 000012
【図１１】
2006081601.tif 000013
【図１２】
2006081601.tif 000014
【図１３】
2006081601.tif 000015
【図１４】
2006081601.tif 000016
【図１５】
2006081601.tif 000017
【図１６】
2006081601.tif 000018
【図１７】
2006081601.tif 000019